(57)【特許請求の範囲】
【請求項１】
害虫忌避剤を地下構造物の開口上部の内周壁に沿って全周にわたり設置した、前記地下構造物の開口内において、前記害虫忌避剤よりも下方に設置される害虫捕獲装置であって、
害虫の誘引剤を設置する誘引剤設置部と、
前記誘引剤設置部の近傍に設けた害虫捕獲部と、
前記害虫捕獲部に通じる誘導路と、
前記害虫捕獲部に通じ、当該害虫捕獲部で捕獲した害虫を溜める害虫回収部と、
を有し、
前記害虫捕獲部は上下方向に通じる開孔を有し、この開孔の下方に、前記害虫回収部を着脱可能に設けた地下構造物用の害虫捕獲装置。
【請求項２】
前記害虫捕獲部は、前記誘引剤設置部の下方に設けた請求項１に記載の地下構造物用の害虫捕獲装置。
【請求項３】
前記誘導路に、害虫が前記害虫捕獲部に向かう方向にのみ通過することが可能な逆止弁体を設けた請求項１または２に記載の地下構造物用の害虫捕獲装置。
【請求項４】
前記害虫捕獲装置を前記地下構造物の開口内に設置するためのアダプタセットをさらに有し、
前記アダプタセットは、前記害虫捕獲装置を前記地下構造物の開口内で支持する支持体と、この支持体の外周に沿って取り付けられる外周体と、前記支持体を前記地下構造物の開口内に係止する係止体とを有する、請求項１から３のいずれかに記載の地下構造物用の害虫捕獲装置。
【請求項５】
地下構造物の開口内に、請求項１から４のいずれかに記載の害虫捕獲装置を設置するとともに、当該地下構造物に通じる周囲の地下構造物の開口内に、害虫忌避剤を設置した、地下構造物用の害虫捕獲システム。
【発明の詳細な説明】
【技術分野】
【０００１】
本発明は、地下構造物用の害虫捕獲装置およびその害虫捕獲装置を用いた害虫捕獲システムに関する。なお、本願明細書でいう「地下構造物」とは、地中に埋設される下水道管路施設、上水道やガス配管における路面下の配管施設、電力・通信における地下施設等の構造物を総称する。
【背景技術】
【０００２】
従来、地下構造物内に生息するゴキブリ・蚊等の害虫を駆除する技術として、地下構造物内に殺虫剤を設置する技術が知られている。例えば特許文献１には、雨水桝や貯留槽等で構成される水滞留部に、水に浸かることにより殺虫殺菌機能を発揮する殺虫殺菌器具を設置する技術が開示されている。すなわち、特許文献１の技術は、水に殺虫殺菌成分を溶出させることで害虫を死滅させて駆除するものである。
【０００３】
このように従来の地下構造物における害虫駆除技術の基本思想は、殺虫剤によって害虫を死滅させるというものである。しかし、例えば下水道管路施設においては、下水中に溶出した殺虫剤の成分が下水処理場で活用している微生物を死滅させる原因となることから、殺虫剤の使用は下水道法等により規制されており、殺虫剤を使用できない場所がある。
【先行技術文献】
【特許文献】
【０００４】
【特許文献１】特開２０１３−０６４２７２号公報
【発明の概要】
【発明が解決しようとする課題】
【０００５】
本発明が解決しようとする課題は、殺虫剤を使用せずに地下構造物内の害虫を駆除できる技術を提供することにある。
【課題を解決するための手段】
【０００６】
本発明の一観点によれば、次の地下構造物用の害虫捕獲装置が提供される。
「害虫忌避剤を地下構造物の開口上部の内周壁に沿って全周にわたり設置した、前記地下構造物の開口内において、前記害虫忌避剤よりも下方に設置される害虫捕獲装置であって、
害虫の誘引剤を設置する誘引剤設置部と、
前記誘引剤設置部の近傍に設けた害虫捕獲部と、
前記害虫捕獲部に通じる誘導路と、
前記害虫捕獲部に通じ、当該害虫捕獲部で捕獲した害虫を溜める害虫回収部と、
を有し、
前記害虫捕獲部は上下方向に通じる開孔を有し、この開孔の下方に、前記害虫回収部を着脱可能に設けた地下構造物用の害虫捕獲装置。」
【０００７】
この本発明の害虫捕獲装置によれば、地下構造物内の害虫を、誘引剤設置部に設置した誘引剤によって誘導路を通じて誘引剤設置部の近傍に設けた害虫捕獲部に誘引することで捕獲し、その捕獲した害虫を害虫回収部に溜めることができる。すなわち、本発明の害虫捕獲装置によれば、殺虫剤を使用せずに地下構造物内の害虫を捕獲して駆除できる。また、地下構造物の開口内に設置した害虫捕獲装置は通常ならば頻繁には交換できないものであるが、本発明の害虫捕獲装置は、一旦捕獲した害虫を溜める害虫回収部を有するので、長期間にわたり害虫捕獲機能を維持できる。
【０００８】
本発明の害虫捕獲装置において、害虫捕獲部は誘引剤設置部の下方に設けることが好ましく、また、害虫捕獲部には上下方向に通じる開孔を有し、害虫回収部はこの開孔の下方に設けることが好ましい。これにより、誘引剤によって誘引剤設置部の下方に誘引し捕獲した害虫を開孔から落下させて、そのまま害虫回収部に溜めることができるので、より効率的に害虫を捕獲して駆除できる。また、害虫捕獲部の開孔と害虫回収部との組合せという簡単な構成であるから、地下構造物内の環境下においても耐久性に優れ、地下構造物用の害虫捕獲装置として好適である。さらに、害虫回収部を害虫捕獲部の開孔の下方に設けることで、害虫回収部を着脱可能な構成としやすくなる。害虫回収部が着脱可能であれば、捕獲した害虫を溜めている害虫回収部のみを取り外して回収することができるので、その回収の作業性が向上するとともに、害虫回収部以外の構成は再利用できるので経済性も向上する。
【０００９】
本発明の害虫捕獲装置において害虫捕獲部に通じる誘導路には、害虫が害虫捕獲部に向かう方向にのみ通過することが可能な逆止弁体を設けることが好ましい。これにより、害虫が誘導路を逆行して逃げ出すことを防止できるので、害虫を確実に捕獲して駆除できる。
【００１０】
本発明の他の観点によれば、本発明の害虫捕獲装置を用いた害虫捕獲システムが提供される。すなわち、本発明の害虫捕獲システムは、地下構造物の開口内に、本発明の害虫捕獲装置を設置するとともに、当該地下構造物に通じる周囲の地下構造物の開口内に、害虫忌避剤を設置したものである。
【００１１】
このように、本発明の害虫捕獲装置を設置した地下構造物に通じる周囲の地下構造物の開口内に害虫忌避剤を設置することで、これら周囲の地下構造物の開口を通じて害虫が地上にあがることを抑制し、害虫捕獲装置を設置した地下構造物に向けて害虫を効果的に誘引し、その害虫捕獲装置によって害虫を集中的に捕獲できる。また、これにより、捕獲した害虫の回収を行うべき箇所を少なくできるため、作業負担を軽減できる。
【００１２】
また、本発明の害虫捕獲システムでは、害虫捕獲装置を設置した地下構造物の開口内において、その害虫捕獲装置よりも上方に害虫忌避剤を設置することが好ましい。これにより、害虫が害虫捕獲装置を越えて上方に上がることを抑制でき、害虫が害虫捕獲装置に誘引されやすくなる。したがって、より効率的に害虫を捕獲して駆除できる。
【発明の効果】
【００１３】
以上のとおり本発明によれば、殺虫剤を使用せずに地下構造物内の害虫を効率的に駆除できる。すなわち、本発明による害虫駆除技術は、殺虫剤を使用することができない下水道管路施設などの地下構造物にも適用可能であり、顕著な実用性を有する。
【図面の簡単な説明】
【００１４】
【図１】本発明の一実施例による害虫捕獲装置の構成部品をアダプタセットとともに示す分解斜視図である。
【図２】図１の害虫捕獲装置の設置状態を示す図である。
【図３】図２のＡ−Ａ線に沿った要部の断面図である。
【図４】図１の害虫捕獲装置を用いた本発明の一実施例による害虫捕獲システムの構成を概念的に示す図である。
【発明を実施するための形態】
【００１５】
以下、図面に示す実施例に基づき本発明の実施の形態を説明する。
【００１６】
図１は本発明の一実施例による害虫捕獲装置の構成部品をアダプタセットとともに示す分解斜視図、図２は図１の害虫捕獲装置の設置状態を示す図、図３は図２のＡ−Ａ線に沿った要部の断面図である。
【００１７】
図２において、害虫捕獲装置１００は、地下構造物である下水道管路施設用のマンホール２００の縦孔状の開口２１０内に設置されている。また、この害虫捕獲装置１００より上方には、害虫忌避剤を含む害虫忌避シート３００が、マンホール２００の開口２１０の内周壁に沿って全周にわたり設置（貼着）されている。そして、マンホール２００の上端には、受枠２２１とこの受枠２２１に開閉可能に支持される蓋本体（図示省略）とからなる地下構造物用蓋２２０が、その上端面が地表面と面一になすように設置されている。
【００１８】
図１に示すように、害虫捕獲装置１００は、後述する誘引剤設置部１４、害虫捕獲部１５および誘導路１６を設けた装置本体１０と、この装置本体１０に着脱可能に装着される害虫回収部としての回収容器２０とからなる。
【００１９】
図１から図３を参照すると、装置本体１０は、円板状の基板１１と、その上方に間隔をおいて配置した円板状の天板１２と、これらをつなぐ周方向に複数に分割された円弧状の側板１３とによって、全体として中空の円盤状に形成されている。天板１２の上面には、害虫の誘引剤を設置するための誘引剤設置部１４が上方に突出するように設けられている。そして、誘引剤設置部１４の下方に害虫捕獲部１５が設けられている。本実施例において害虫捕獲部１５は、基板１１、天板１２および側板１３によって囲まれた空間として設けられている。また、本実施例の害虫捕獲部１５は、誘引剤設置部１４の直下に開孔１５ａを有する。この開孔１５ａは基板１１に貫通孔を設けることで、上下方向に通じるように形成されている。なお、誘引剤設置部１４の底板部分、すなわち害虫捕獲部１５に面する側には、誘引剤の成分が害虫捕獲部１５に向けて発散するように複数の小孔が設けられている。
【００２０】
本実施例において誘導路１６は、複数に分割された円弧状の側板１３の隣り合う部分（側板１３と側板１３の間）を入口として、害虫捕獲部１５の開孔１５ａに向かうように形成されている。また本実施例において誘導路１６は側板１３の周方向に１２０度間隔で３箇所に設けられており、各誘導路１６には、害虫が害虫捕獲部１５（開孔１５ａ）に向かう方向にのみ通過することが可能な逆止弁体１７が２枚設けられている。すなわち逆止弁体１７は、通常は誘導路１６を閉塞し、害虫が害虫捕獲部１５に向かう方向に通過するときだけ、その方向に回転して誘導路１６を開放する。
【００２１】
本実施例において回収容器２０は、装置本体１０の基板１１に取り付けた固定具１８を介して、装置本体１０に着脱可能に装着される。すなわち、回収容器２０は容器部２１とフランジ部２２とからなり、そのフランジ部２２および固定具１８にそれぞれ形成した貫通孔２２ａ，１８ａに、後述するアダプタセット３０の支持体３１から立設されたボルト１９ａを挿通し蝶ナット１９ｂで固定することにより、回収容器２０が装置本体１０に着脱可能に装着される。
【００２２】
本実施例において害虫捕獲装置１００は、アダプタセット３０を用いることでマンホール２００の開口２１０内に設置される。アダプタセット３０は、装置本体１０を回収容器２０とともにマンホール２００の開口２１０内で支持する支持体３１と、この支持体３１の外周に沿って取り付けられる外周体３２と、支持体３１をマンホール２００の開口２１０内に係止する係止体３３とからなる。
【００２３】
支持体３１はリング状の本体部３１ａを有し、この本体部３１ａの中央開口部分に、装置本体１０に装着した回収容器２０の容器部２１を挿通し、本体部３１ａの上面に、回収容器２０のフランジ部２２を載置することで、装置本体１０が回収容器２０とともに支持体３１に支持される。
【００２４】
また、支持体３１は、係止体３３に係合する係合部３１ｂを有する。この係合部３１ｂは、リング状の本体部３１ａの周方向に１２０度間隔で３箇所に、本体部３１ａの外周縁から半径方向外方に突出するように形成されている。また、各係合部３１ｂには、周方向に延びる長孔状の係合孔３１ｃが形成されている。
【００２５】
外周体３２は、前述した３箇所の係合部３１ｂどうしの間において、支持体３１の本体部３１ａの外周に沿って取り付けられるゴム等の弾性体からなる円弧状の部材である。この外周体３２の外周縁には、上方に立ち上がる立上り部３２ａが形成されており、この立上り部３２ａは、図２および図３に示すように、設置状態においてはマンホール２００の内周壁面に接する。
【００２６】
係止体３３はその上端に係止部３３ａを有し、この係止部３３ａをマンホール２００に係止することで、係止体３３がマンホール２００に係止される。本実施例では、係止部３３ａを、マンホール２００の上端面と受枠２２１の下面との間に差し込むことで係止する。
【００２７】
係止体３３の下部には、前述の支持体３１を支持する支持部３３ｂが形成され、この支持部３３ｂの上面に雄ネジ部３３ｃが立設されている。そして、この雄ネジ部３３ｃを、支持体３１の係合部３１ｂに形成した係合孔３１ｃに挿通させ、ナット３４を装着することで、支持体３１が係止体３３に取り付けられる。なお、支持部３３ｂの下面側には、補強用のリブ３３ｄが設けられている。
【００２８】
以上の構成において害虫捕獲装置１００は、例えば次の要領でマンホール２００の開口２１０内に設置することができる。
【００２９】
まず、アダプタセット３０の係止体３３の係止部３３ａを、マンホール２００の上端面と受枠２２１の下面との間に差し込み、係止体３３をマンホール２００の開口２１０内に設置する。
【００３０】
次いで、支持体３１の本体部３１ａに外周体３２を取り付け、係止体３３に支持体３１の係合部３１ｂを取り付けることで、アダプタセット３０を組み立てる。支持体３１は前述のとおり、係止体３３の支持部３３ｂの上面の雄ネジ部３３ｃを、支持体３１の係合部３１ｂに形成した係合孔３１ｃに挿通させ、ナット３４を装着することで、係止体３３に取り付けることができる。
【００３１】
そして、回収容器２０を装着した装置本体１０を、アダプタセット３０の支持体３１に支持させて設置する。回収容器２０を装着した装置本体１０は前述のとおり、支持体３１の本体部３１ａの中央開口部分に、装置本体１０に装着した回収容器２０の容器部２１を挿通し、本体部３１ａの上面に、回収容器２０のフランジ部２２を載置することで、支持体３１に支持させることができる。
【００３２】
なお、前記の説明では、アダプタセット３０のうち係止体３３を先にマンホール２００の開口２１０内に設置し、その後、支持体３１等を設置するようにしたが、アダプタセット３０を組み立てた後にマンホール２００の開口２１０内に設置し、そのアダプタセット３０の支持体３１に、回収容器２０を装着した装置本体１０を支持させて設置するようにしてもよい。また、あらかじめアダプタセット３０の支持体３１に回収容器２０を装着した装置本体１０を支持させたうえで、そのアダプタセット３０をマンホール２００の開口２１０内に設置するようにしてもよい。
【００３３】
次に、害虫捕獲装置１００の作用について、図２および図３を参照しながら説明する。
【００３４】
害虫は、誘引剤設置部１４に設置した誘引剤によってマンホール２００の開口２１０の上方に向けて誘引される。ここで、外周体３２の立上り部３２ａがマンホール２００の内周壁面に接しているから、害虫が上方に向かうことができる経路は、支持体３１の係合部３１ｂの両側の開口部分に制限される。すなわち、外周体３２は、害虫が上方に向かうことができる経路を制限する機能を果たす。なお、以下では、支持体３１の係合部３１ｂの両側の開口部分を害虫の進入経路３５として説明する。
【００３５】
害虫の進入経路３５を通じて上方にあがってきた害虫は、さらに誘引剤設置部１４に設置した誘引剤によって、誘導路１６を通じて害虫捕獲部１５（開孔１５ａ）に向けて誘引される。先に説明したとおり、本実施例において誘導路１６は３箇所に形成されているが、その入口は、それぞれ害虫の進入経路３５の近傍に位置することから、害虫は進入経路３５から誘導路１６に誘引されやすい。また、本実施例において各誘導路１６には、害虫が害虫捕獲部１５（開孔１５ａ）に向かう方向にのみ通過することが可能な逆止弁体１７が２枚設けられているので、害虫が誘導路１６を逆行して逃げ出すことを防止できる。
【００３６】
誘導路１６を通じて進入してきた害虫は害虫捕獲部１５で捕獲され、その大部分は開孔１５ａから落下し、その落下した害虫は、そのまま害虫回収部としての回収容器２０の容器部２１に溜められる。害虫を溜めた回収容器２０は、適宜の時期に装置本体１０から取り外して回収される。
【００３７】
このように、本発明の害虫捕獲装置１００によれば、殺虫剤を使用せずに地下構造物（マンホール２００）内の害虫を効率的に捕獲して回収し駆除できる。そして、地下構造物の開口内に設置した害虫捕獲装置は通常ならば頻繁には交換できないものであるが、本発明の害虫捕獲装置１００は、一旦捕獲した害虫を溜める害虫回収部（回収容器２０）を有するので、長期間にわたり害虫捕獲機能を維持できる。
【００３８】
また、本実施例において害虫捕獲装置１００は、害虫捕獲部１５に開孔１５ａを設け、開孔１５ａの下方に害虫回収部として回収容器２０を設けるという簡単な構成であるから、地下構造物内の環境下においても耐久性に優れ、地下構造物用の害虫捕獲装置として好適である。さらに、害虫回収部である回収容器２０が装置本体１０に対して着脱可能であるので、捕獲した害虫を溜めている回収容器２０のみを取り外して回収することができるので、その回収の作業性が向上するとともに、回収容器２０以外の構成は再利用できるので経済性も向上する。
【００３９】
なお、実施例では前述のとおり、害虫捕獲部１５に開孔１５ａを設け、開孔１５ａの下方に害虫回収部として回収容器２０を設けたが、本発明の害虫捕獲装置において害虫捕獲部および害虫回収部の構成は実施例に限定されるものではない。要するに害虫捕獲部は害虫を捕獲できるものであればよく、害虫回収部は害虫捕獲部で捕獲した害虫を溜めることができるものであればよい。また、実施例では、害虫捕獲部１５は誘引剤設置部１４の下方に設けたが、害虫捕獲部１５は必ずしも誘引剤設置部１４の下方に設ける必要はなく、誘引剤設置部の近傍に設けておけば、誘引剤設置部で誘引した害虫を捕獲するという害虫捕獲部としての機能は発揮される。さらに、実施例では、アダプタセット３０によって害虫捕獲装置１００をマンホール２００の開口２１０内に設置するようにしたが、必ずしもアダプタセット３０を用いる必要はなく、例えばフックを用いて受枠２２１から吊り下げるなど、他の構成によって害虫捕獲装置１００をマンホール２００の開口２１０内に設置することもできる。
【００４０】
次に、本発明の害虫捕獲システムについて説明する。図４は、害虫捕獲装置１００を用いた本発明の一実施例による害虫捕獲システムの構成を概念的に示す図である。
【００４１】
図４において、中央にあるマンホール２００が図１に示したマンホール２００であり、その開口２１０内に害虫捕獲装置１００が設置されている。そして、このマンホール２００に通じる周囲のマンホール２００ａ〜ｄの開口内に、害虫忌避剤を含む害虫忌避シート３００が、それぞれマンホール２００ａ〜ｄの開口の内周壁に沿って全周にわたり設置（貼着）されている。
【００４２】
このようにマンホール２００の開口内に害虫捕獲装置１００を設置するとともに、このマンホール２００に通じる周囲のマンホール２００ａ〜ｄの開口内に害虫忌避シート３００を設置することで、これら周囲のマンホール２００ａ〜ｄの開口を通じて害虫が地上にあがることを抑制し、害虫捕獲装置１００を設置したマンホール２００に向けて害虫を効果的に誘引し、その害虫捕獲装置１００によって害虫を集中的に捕獲できる。また、これにより、捕獲した害虫の回収を行うべき箇所を少なくできるため、作業負担を軽減できる。
【００４３】
図４の害虫捕獲システムにおいて害虫捕獲装置１００を設置したマンホール２００には、図２で示したように、害虫捕獲装置１００よりも上方に害虫忌避シート３００をマンホール２００の開口の内周壁に沿って全周にわたり設置（貼着）することが好ましい。これにより、害虫が害虫捕獲装置１００を越えて地上に上がることを抑制でき、害虫が害虫捕獲装置１００に誘引されやすくなる。
【００４４】
なお、図４の害虫捕獲システムでは、１個のマンホール２００に対して、４個のマンホール２００ａ〜ｄを「周囲の地下構造物の開口」としたが、本発明の害虫捕獲システムにおいて「周囲の地下構造物の開口」の範囲は厳密に決定されるものではなく、地下構造物の設置状況等に応じて適宜決定されるものである。また、本発明の害虫捕獲システムは、害虫捕獲装置を設置した複数個の地下構造物の開口と、その周囲の地下構造物の開口との組合せによって構築することもできる。さらに、図４の害虫捕獲システムでは、開口を構成する地下構造物としてマンホールのみを示したが、開口を構成する地下構造物としては、汚水桝や雨水桝などもあり、これらの地下構造物にも本発明が適用できることは言うまでもない。
【符号の説明】
【００４５】
１００  害虫捕獲装置
１０  装置本体
１１  基板
１２  天板
１３  側板
１４  誘引剤設置部
１５  害虫捕獲部
１５ａ  開孔
１６  誘導路
１７  逆止弁体
１８  固定具
１８ａ  貫通孔
１９ａ  ボルト
１９ｂ  蝶ナット
２０  回収容器（害虫回収部）
２１  容器部
２２  フランジ部
２２ａ  貫通孔
３０  アダプタセット
３１  支持体
３１ａ  本体部
３１ｂ  係合部
３１ｃ  係合孔
３２  外周体
３２ａ  立上り部
３３  係止体
３３ａ  係止部
３３ｂ  支持部
３３ｃ  雄ネジ部
３３ｄ  リブ
３４  ナット
３５  害虫の進入経路
２００  マンホール（地下構造物）
２１０  開口
２２０  地下構造物用蓋
２２１  受枠
３００  害虫忌避シート（害虫忌避剤）
【図１】
0006566766.tif 000002
【図２】
0006566766.tif 000003
【図３】
0006566766.tif 000004
【図４】
0006566766.tif 000005